(57)【要約】【課題】嵌合爪の爪側の前方に他の突起物を備える嵌合構造において、これらを形成するスライド金型の取り出しを容易にする嵌合構造を提供する。【解決手段】嵌合突起８３は、部品を固定する面である固定面８１上に形成され、その部品を嵌合するための嵌合爪８２が側壁面に設けられている。リブ８４は、嵌合爪８２が形成された嵌合突起８３の側壁面側前方の固定面上８１にその嵌合爪８２の位置よりも低く突設されている。嵌合突起８３には、固定面８１上から嵌合爪８２の下部にかけて少なくともその嵌合爪８２幅の穴部８５が形成され、嵌合爪８２とリブ８４との間に部品を嵌め込むことによりその部品を嵌合する。【選択図】図８
2010245900.tif 000002
【特許請求の範囲】
【請求項１】
部品を固定する面である固定面上に形成され、当該部品を嵌合するための嵌合爪が側壁面に設けられた嵌合突起と、
前記嵌合爪が形成された前記嵌合突起の側壁面側前方の前記固定面上に当該嵌合爪の位置よりも低く突設されたリブとを備え、
前記嵌合突起には、前記固定面上から前記嵌合爪の下部にかけて少なくとも当該嵌合爪幅の穴部が形成され、
前記嵌合爪と前記リブとの間に部品を嵌め込むことにより当該部品を嵌合する
ことを特徴とする嵌合構造。
【請求項２】
嵌合突起には、固定面上から嵌合爪の下部にかけて当該嵌合爪幅と同等の幅を有する穴部が形成されている
請求項１記載の嵌合構造。
【請求項３】
嵌合突起には、固定面上から嵌合爪の下部にかけて当該嵌合爪幅より広い幅を有する穴部が形成されている
請求項１記載の嵌合構造。
【請求項４】
嵌合突起の穴部脇に、固定面及び当該嵌合突起に連接される補強部が形成された
請求項１から請求項３のうちのいずれか１項に記載の嵌合構造。
【請求項５】
固定される部品がスピーカユニットである
請求項１から請求項４のうちのいずれか１項に記載の嵌合構造。
【請求項６】
部品を固定する面である固定面上に形成され、当該部品を嵌合するための嵌合爪が側壁面に設けられた嵌合突起と、前記嵌合爪が形成された側壁面側前方の前記固定面上に当該嵌合爪の位置よりも低く突設されたリブとを備え、前記嵌合突起には、前記固定面上から前記嵌合爪の下部にかけて少なくとも当該嵌合爪幅の穴部が形成され、前記嵌合爪と前記リブとの間に部品を嵌め込むことにより当該部品を嵌合する嵌合構造を形成するための嵌合構造形成方法であって、
第一の金型により、前記嵌合突起における前記穴部及び前記嵌合爪が設けられた面の反対面側を形成し、
第二の金型により、前記リブと前記嵌合爪の上部を形成し、
前記第一の金型を、前記穴部を中心にしてリブとは反対の方向にスライドさせて金型を取り出すことにより前記嵌合構造を成形する
ことを特徴とする嵌合構造形成方法。
【発明の詳細な説明】
【技術分野】
【０００１】
本発明は、嵌合爪を用いて部材を固定する嵌合構造及びその嵌合構造を形成するための嵌合構造形成方法に関する。
【背景技術】
【０００２】
携帯電話機などにおいて使用される部品（ユニット）を安定して保持するため、携帯電話機のリアケースに嵌合爪を有する嵌合突起を設け、その嵌合爪とリアケースとの間にユニットを嵌め込むことでユニットを固定する方法が用いられることが多い。また、このような結合部を形成するための方法も各種提案されている。
【０００３】
例えば、特許文献１には、合成樹脂性の中シェルを型成形する際に、係合片のアンダーカット部を形成するスライド金型を簡単に抜くことができる結合部を有する椅子用シートが記載されている。特許文献１に記載された椅子用シートの結合部は、中シェルの後面中央部に座席用フレームを嵌合して取付け得る凹入部を設け、この凹入部の周縁部に、後方と凹入部方向とが開口する複数の切欠きを設けている。この切欠き内の相対向する側壁面から、他方の側壁面に向けて、互いに対向する弾性係合片をそれぞれ突設させる。このような構造により、弾性係合片がそれぞれ突設していても、この切欠きの凹入部側開口からスライド金型を簡単に抜くことができる。
【先行技術文献】
【特許文献】
【０００４】
【特許文献１】特開２００５−２１１２４９号公報（段落０００５〜０００６，００１１，００１６，００２２，００２４、図３、図８）
【発明の概要】
【発明が解決しようとする課題】
【０００５】
嵌合部は、その構造により、嵌合爪を有する嵌合突起だけではなく、他の突起物が形成される場合がある。図９は、嵌合突起に加え他の突起物が形成された嵌合構造の例を示す説明図である。図９に示す嵌合構造は、嵌合爪５９，６０を有する嵌合突起６９，７０と、嵌合爪５９，６０の爪側前方に他の突起物５７とを備えている。
【０００６】
嵌合爪を用いた嵌合構造を形成する場合には、嵌合爪５９，６０の構造上、金型Ｋ１１，１２をそれぞれＤ２方向にスライドさせ、また、金型Ｋ１３を、爪の出ている方向Ｄ１へ向けて一旦スライドさせ、さらに斜め上方向Ｄ３に向けてスライドさせるのが一般的である。図９に例示する嵌合構造を形成する場合においても、Ｄ１方向に向けて金型Ｋ１３を一定量スライドさせる必要があるが、Ｄ１方向には他の突起物５７が存在するため、金型Ｋ１３をスライドさせることが出来ない。言い換えれば、Ｄ１方向に金型Ｋ１３をスライドさせて嵌合構造を形成しようとする場合には、他の突起物５７が形成出来ないという課題がある。
【０００７】
特許文献１に記載された椅子用シートの凹入部には、側壁面から弾性係合片を突設させている。しかし、この弾性係合片の爪側（内側）に他の突起物が存在するような構造の場合には、切欠きの凹入部側開口からスライド金型を抜くことが出来ないという課題がある。
【０００８】
そこで、本発明は、嵌合爪の爪側の前方に他の突起物を備える嵌合構造において、これらを形成するスライド金型の取り出しを容易にする嵌合構造及びその嵌合構造を形成するための嵌合構造形成方法を提供することを目的とする。
【課題を解決するための手段】
【０００９】
本発明による嵌合構造は、部品を固定する面である固定面上に形成され、その部品を嵌合するための嵌合爪が側壁面に設けられた嵌合突起と、嵌合爪が形成された嵌合突起の側壁面側前方の固定面上にその嵌合爪の位置よりも低く突設されたリブとを備え、嵌合突起には、固定面上から嵌合爪の下部にかけて少なくともその嵌合爪幅の穴部が形成され、嵌合爪とリブとの間に部品を嵌め込むことによりその部品を嵌合することを特徴とする。
【００１０】
本発明による嵌合構造形成方法は、部品を固定する面である固定面上に形成され、その部品を嵌合するための嵌合爪が側壁面に設けられた嵌合突起と、嵌合爪が形成された側壁面側前方の固定面上にその嵌合爪の位置よりも低く突設されたリブとを備え、嵌合突起には、固定面上から嵌合爪の下部にかけて少なくともその嵌合爪幅の穴部が形成され、嵌合爪とリブとの間に部品を嵌め込むことによりその部品を嵌合する嵌合構造を形成するための嵌合構造形成方法であって、第一の金型により、嵌合突起における穴部及び嵌合爪が設けられた面の反対面側を形成し、第二の金型により、リブと嵌合爪の上部を形成し、第一の金型を、穴部を中心にしてリブとは反対の方向にスライドさせて金型を取り出すことにより嵌合構造を成形することを特徴とする。
【発明の効果】
【００１１】
本発明によれば、嵌合爪の爪側の前方に他の突起物を備える嵌合構造において、これらを形成するスライド金型の取り出しを容易にする嵌合構造を形成できる。
【図面の簡単な説明】
【００１２】
【図１】折り畳み式携帯電話機を開いた状態の背面図である。
【図２】送話側筐体１内部のスピーカユニット取付け部位などを示す説明図及びスピーカユニット４を含む送話側筐体１の断面図である。
【図３】スピーカユニット取付け部位の拡大断面図である。
【図４】スピーカユニット４上にクッション８を設けた状態を示す正面図である。
【図５】スピーカユニット取付け部位を示す斜視図である。
【図６】リアケース５上にリブ７及び嵌合爪９，１０を形成する方法の例を示す説明図である。
【図７】スピーカユニット取付け部位を示す斜視図である。
【図８】本発明の最小構成を示す説明図である。
【図９】嵌合突起に加え他の突起物が形成された嵌合構造の例を示す説明図である。
【発明を実施するための形態】
【００１３】
以下、本発明の実施形態を図面を参照して説明する。
【００１４】
図１〜図３は、本発明による嵌合構造の一実施形態を示す説明図である。本実施形態では、本発明による嵌合構造を携帯電話機におけるスピーカユニット取付け部位に適用した場合を例にして説明する。図１は、折り畳み式携帯電話機を開いた状態の背面図である。携帯電話機は、図１に示すように、送話側筐体１とレシーバ側筐体３とがヒンジにより結合されており、送話側筐体１のヒンジ部付近背面側にスピーカ部２を有する。この送話側筐体１にスピーカ部２を有することにより、レシーバ側筐体３の装置薄型化に寄与している。
【００１５】
図２（ａ）は、送話側筐体１内部のスピーカユニット取付け部位などを示す説明図である。図２（ａ）に示すように、スピーカユニット取付け部位にスピーカユニット４が取り付けられる。図２（ｂ）はスピーカユニット４を含む送話側筐体１の断面図であり、Ａ〜Ａ線の断面図である。図３は、図２（ｂ）におけるスピーカユニット取付け部位ａの拡大断面図である。図３の拡大断面図に示すように、スピーカユニット取付け部位ａには、スピーカユニット４と、携帯電話機のリアケース５と、リブ７と、クッション８と、嵌合爪９，１０を備えている。リアケース５には、スピーカユニット４から出力される音声を外部に出力するための孔２１が形成されている。また、リブ７は、後述の嵌合爪９，１０の位置よりも低い高さに形成され、スピーカユニット４の幅よりも狭い間隔でリアケース５上に突設される。スピーカユニット４とリアケース５との間にリブ７を設けることにより、一定の音響特性を確保するための音孔空間６を形成する。また、リアケース５のリブ７と、スピーカユニット４との間に、音漏れ防止のクッション８が設けられている。スピーカユニット４とリブ７とによってクッション８が押し付けられることにより、密閉空間を形成する。この密閉空間を形成することにより、携帯電話機内での音漏れによる音響特性の劣化を防止できる。図４は、スピーカユニット４上にクッション８を設けた状態を示す正面図である。クッション８は、スピーカユニット４の外周を囲むように設けられる。
【００１６】
図５は、スピーカユニット４及びクッション８を取り付ける前のスピーカユニット取付け部位を示す斜視図である。図５に示すように、嵌合爪９，１０は、リアケース５に設けられた嵌合突起１９，２０の側壁面にそれぞれ設けられてスピーカユニット４（図５において図示せず。）を爪嵌合し、また、リブ７にクッション８（図５において図示せず。）を押し付ける役割を果たす。この嵌合爪９，１０及びリブ７を使用した嵌合構造を用いることによりスピーカユニット４を安定して保持することができる。２つの嵌合突起１９，２０は、リブ７よりも広い間隔で設けられ、嵌合爪９，１０は、それぞれリブ７の方向に向かい合うように形成される。すなわち、嵌合爪９，１０の爪側の前方にリブ７が形成される。
【００１７】
また、嵌合突起１９，２０に設けられた嵌合爪９，１０の下部に、嵌合爪９，１０の幅、またはその幅よりも広い穴１３が形成される。すなわち、嵌合突起１９，２０には、図３に示すように、リアケース５の面上から、嵌合爪９，１０の下部にかけて穴１３が形成される。そして、嵌合爪９，１０は、穴１３の幅または穴１３よりも狭い幅に形成される。穴１３を設けることにより、このような嵌合構造を形成するための金型を、嵌合爪９，１０の爪側と反対方向Ａ１に向かって抜き取ることが可能になる。図５の例では、穴１３が嵌合爪９，１０と同等の幅に形成されていることを示す。
【００１８】
図６は、リブ７及び嵌合爪９，１０を形成する方法の例を示す説明図である。図６に例示するように、リブ７及び嵌合爪９，１０（すなわち、嵌合構造）は、３つのスライド金型Ｋ１，Ｋ２，Ｋ３を用いて形成される。金型Ｋ１は、嵌合爪９が設けられた面と反対面側の嵌合突起１９（図６において図示せず。）及び穴１３を形成するように成形されている。金型Ｋ２は、嵌合爪１０が設けられた面と反対面側の嵌合突起２０（図６において図示せず。）及び穴１３を形成するように成形されている。金型Ｋ３はリブ７、孔２１及び嵌合爪９，１０の上部を形成するように成形されている。
【００１９】
上記のように成形された金型Ｋ１，Ｋ２，Ｋ３を用いて嵌合構造を形成した後、金型Ｋ１は嵌合爪９と反対方向に、金型Ｋ２は嵌合爪１０と反対方向にそれぞれスライドされる。すなわち、金型Ｋ１，Ｋ２は、図６に示す方向Ａ（すなわち、穴１３を中心にしてリブ７とは反対の方向）に向かって取り出される。また、金型Ｋ３はリアケース５の垂直方向Ａ２に向かってスライドされる。このように、嵌合爪９，１０の爪側の前方にリブ７を備える嵌合構造であっても、これらを形成するスライド金型の取り出しを容易にできる。すなわち、嵌合爪９，１０が出ている側の近くにリブ７構造を形成する場合であっても、これらを形成するスライド金型の取り出しを容易にできる。
【００２０】
特に、本実施形態で説明した嵌合構造をスピーカユニット取付け部位に使用する場合、図３に示すように、スピーカユニット４の近くに音孔空間６を確保でき、また音漏れ防止のためのクッション８の形状に合わせたリブ７を構成することができるため、安定した音響をユーザに提供できる。
【００２１】
本発明による嵌合構造は、リアケース５上に形成され、スピーカユニット４を嵌合するための嵌合爪９，１０が側壁面に設けられた嵌合突起１９，２０と、嵌合爪９，１０が形成された嵌合突起１９，２０の側壁面側のリアケース５上に嵌合爪９，１０の位置よりも低く突設されたリブ７とを備えている。また、嵌合突起１９，２０には、リアケース５上から嵌合爪９，１０の下部にかけて少なくとも嵌合爪９，１０の幅の穴１３が形成される。この嵌合爪９，１０とリブ７の間にスピーカユニット４を嵌め込むことにより、スピーカユニット４を嵌合する。このような構造により、嵌合爪９，１０の爪側の前方にリブ７を備える嵌合構造であっても、これらを形成するスライド金型の取り出しを容易にできる。すなわち、嵌合爪９，１０が出ている側の近くにリブ７構造を形成する場合であっても、これらを形成するスライド金型の取り出しを容易にできる。
【００２２】
次に、本発明による嵌合構造の変形例について説明する。本発明による嵌合構造の変形例を図７に示す。図７は、スピーカユニット４及びクッション８を取り付ける前のスピーカユニット取付け部を示す斜視図である。図５に示す例では、嵌合爪９，１０と同じ幅の穴１３が嵌合突起１９，２０に形成されている。一方、図７に示す例では、嵌合突起２０に嵌合爪１０よりも広い幅の穴１５が形成されている点で、上記実施形態と異なる。このとき、嵌合突起２０の幅は、穴１５よりも広くすればよい。なお、図７に示す穴１５の斜線部分は、図５に示す穴１３よりも広げた穴の範囲を示す。また、図７に示す例では、嵌合突起１９に嵌合爪９と同じ幅の穴１３が形成されるとともに、その穴１３脇にリアケース５及び嵌合突起１９に連接されるリブ１６が形成されている点で、上記実施形態と異なる。それ以外は、上記実施形態と同様である。
【００２３】
嵌合爪１０の幅以上に穴１５を開けた嵌合構造であっても、この構造を形成するスライド金型の取り出しを容易にできる。このように、穴の大きさを広くすることにより装置の軽量化を実現できる。また、図７に示すように、嵌合突起１９の穴１３脇に、リアケース５及び嵌合突起１９に連接されるリブ１６を形成してもよい。この場合、リブ１６によって、嵌合爪９を補強することができるため、穴１３が開いていない場合との強度差分をなくすことができる。
【００２４】
なお、上記説明では、本発明における嵌合構造を携帯電話機におけるスピーカユニット取付け部位に適用した場合について説明したが、本発明における嵌合構造を適用する対象は、携帯電話機におけるスピーカユニット取付け部位に限定されない。
【００２５】
次に、本発明の最小構成を説明する。図８は、本発明の最小構成を示す説明図である。本発明における嵌合構造は、部品（例えば、スピーカユニット４）を固定する面である固定面８１（例えば、リアケース５）上に形成され、その部品を嵌合するための嵌合爪８２（例えば、嵌合爪９，１０）が側壁面に設けられた嵌合突起８３（例えば、嵌合突起２０）と、嵌合爪８２が形成された嵌合突起８３の側壁面側前方の固定面上８１にその嵌合爪８２の位置よりも低く突設されたリブ８４（例えば、リブ７）とを備えている。
【００２６】
嵌合突起８３には、固定面８１上から嵌合爪８２の下部にかけて少なくともその嵌合爪８２幅の穴部８５（例えば、穴１３）が形成され、嵌合爪８２とリブ８４との間に部品を嵌め込むことによりその部品を嵌合する。
【００２７】
そのような構成により、嵌合爪の爪側の前方に他の突起物を備える嵌合構造において、これらを形成するスライド金型の取り出しを容易にできる。
【００２８】
また、上記の実施形態には、以下に示す構成の嵌合構造及び嵌合構造形成方法が開示されている。
【００２９】
（１）部品（例えば、スピーカユニット４）を固定する面である固定面（例えば、リアケース５）上に形成され、その部品を嵌合するための嵌合爪（例えば、嵌合爪９，１０）が側壁面に設けられた嵌合突起（例えば、嵌合突起２０）と、嵌合爪が形成された嵌合突起の側壁面側前方の固定面上にその嵌合爪の位置よりも低く突設されたリブ（例えば、リブ７）とを備え、嵌合突起には、固定面上から嵌合爪の下部にかけて少なくともその嵌合爪幅の穴部（例えば、穴１３）が形成され、嵌合爪とリブとの間に部品を嵌め込むことによりその部品を嵌合することを特徴とする嵌合構造。
【００３０】
（２）嵌合突起には、固定面上から嵌合爪の下部にかけてその嵌合爪幅と同等の幅を有する穴部（例えば、穴１３）が形成されている嵌合構造。
【００３１】
（３）嵌合突起には、固定面上から嵌合爪の下部にかけてその嵌合爪幅より広い幅を有する穴部（例えば、穴１５）が形成されている嵌合構造。
【００３２】
（４）嵌合突起の穴部脇に、固定面及びその嵌合突起に連接される補強部（例えば、リブ１６）が形成された嵌合構造。
【００３３】
（５）固定される部品がスピーカユニット（例えば、スピーカユニット４）である嵌合構造。
【００３４】
（６）部品（例えば、スピーカユニット４）を固定する面である固定面（例えば、リアケース５）上に形成され、その部品を嵌合するための嵌合爪（例えば、嵌合爪９，１０）が側壁面に設けられた嵌合突起（例えば、嵌合突起２０）と、嵌合爪が形成された側壁面側前方の固定面上にその嵌合爪の位置よりも低く突設されたリブ（例えば、リブ７）とを備え、嵌合突起には、固定面上から嵌合爪の下部にかけて少なくともその嵌合爪幅の穴部（例えば、穴１３）が形成され、嵌合爪とリブとの間に部品を嵌め込むことによりその部品を嵌合する嵌合構造を形成するための嵌合構造形成方法であって、第一の金型（例えば、金型Ｋ１）により、嵌合突起における穴部及び嵌合爪が設けられた面の反対面側を形成し、第二の金型（例えば、金型Ｋ２）により、リブと嵌合爪の上部を形成し、第一の金型を、穴部を中心にしてリブとは反対の方向（例えば、方向Ａ１）にスライドさせて金型を取り出すことにより嵌合構造を成形することを特徴とする嵌合構造形成方法。
【産業上の利用可能性】
【００３５】
本発明は、嵌合爪を用いて部材を固定する嵌合構造に好適に適用される。
【符号の説明】
【００３６】
１  送話側筐体
２  スピーカ部
３  レシーバ側筐体
４  スピーカユニット
５  リアケース
６  音孔空間
７，１６  リブ
８  クッション
９，１０  嵌合爪
１３，１５  穴
１９，２０  嵌合突起
２１  孔
ａ  スピーカユニット取付け部位
Ｋ１，Ｋ２，Ｋ３  金型
【図１】
2010245900.tif 000003
【図２】
2010245900.tif 000004
【図３】
2010245900.tif 000005
【図４】
2010245900.tif 000006
【図５】
2010245900.tif 000007
【図６】
2010245900.tif 000008
【図７】
2010245900.tif 000009
【図８】
2010245900.tif 000010
【図９】
2010245900.tif 000011